(57)【要約】【課題】信号制御装置に対するユーザ端末の収容替え時におけるユーザ端末の利便性を改善すること。【解決手段】ネットワーク機器３を介してユーザ端末から送信された信号を制御する信号制御装置１ｂにおいて、収容非対象のユーザ端末７ａ，７ｂを収容している他の信号制御装置１ａのＩＰアドレスを信号制御装置管理装置５から受信し、ネットワーク機器３に接続されているアドレス未割当のインタフェース＃２に当該ＩＰアドレスを割り当て、当該ＩＰアドレスへの信号を当該インタフェース＃２に送信することをネットワーク機器３に命令する。【選択図】図３
2016082400.tif 000002
【特許請求の範囲】
【請求項１】
ネットワーク機器を介してユーザ端末から送信された信号を制御する信号制御装置において、
収容非対象のユーザ端末を収容している他の信号制御装置のアドレス情報を管理装置から受信する受信手段と、
前記ネットワーク機器に接続されているアドレス未割当のインタフェースに前記アドレス情報を割り当てる割当手段と、
当該アドレス情報への信号を前記インタフェースに送信することを前記ネットワーク機器に命令する命令手段と、
を有することを特徴とする信号制御装置。
【請求項２】
各信号に対して専用スレッドをそれぞれ生成し、各専用スレッドにそれぞれ対応する各ソケットを通じて各ユーザ端末とそれぞれ通信する通信手段を更に有することを特徴とする請求項１に記載の信号制御装置。
【請求項３】
ネットワーク機器を介してユーザ端末から信号制御装置に送信された信号を制御する信号制御方法において、
前記信号制御装置は、
収容非対象のユーザ端末を収容している他の信号制御装置のアドレス情報を管理装置から受信する受信ステップと、
前記ネットワーク機器に接続されているアドレス未割当のインタフェースに前記アドレス情報を割り当てる割当ステップと、
当該アドレス情報への信号を前記インタフェースに送信することを前記ネットワーク機器に命令する命令ステップと、
を有することを特徴とする信号制御方法。
【請求項４】
各信号に対して専用スレッドをそれぞれ生成し、各専用スレッドにそれぞれ対応する各ソケットを通じて各ユーザ端末とそれぞれ通信する通信ステップを更に有することを特徴とする請求項３に記載の信号制御方法。
【発明の詳細な説明】
【技術分野】
【０００１】
本発明は、信号制御装置を介する通信システムにおいて、信号制御装置に帰属可能な端末の収容先変更や移行等の技術に関する。
【背景技術】
【０００２】
現在、呼制御サーバ等の信号制御装置を介して通信を行う通信システムが存在する。その通信システムのネットワーク構成例を図５に示す。この通信システムは、各ユーザ端末７ａ〜７ｄからの信号を制御する複数の信号制御装置１ａ，１ｂと、その信号を各信号制御装置１ａ，１ｂに送信するネットワーク機器３と、を備えて構成される。システム全体の高信頼性等の観点から、信号制御装置１を二重化する構成やＡＣＴ−ＳＢＹ構成が採用されている。
【０００３】
ここで信号制御装置１は、信号を制御する装置本来の機能以外に、信号制御装置に対するユーザ端末の帰属関係を管理する機能を備えている。例えば、信号制御装置１ａがユーザ端末７ａ，７ｂを収容し、「Ｘ．Ｘ．Ｘ．Ｘ」のＩＰアドレスのインタフェースを介して信号を受信する場合、図５の信号制御装置＃１の内部に記載の帰属関係情報を保持する。
【０００４】
そして、特許文献１の段落０００２−０００６に記載の系切り替えや端末収容先切り替え等により、ユーザ端末７ａ，７ｂの収容先を信号制御装置１ｂに変更する場合、図６に示すように、信号制御装置１ａは保持していた帰属関係情報を変更先の信号制御装置１ｂに送信する。そして信号制御装置１ｂは、自身の帰属関係情報に追加登録することによりユーザ端末７ａ，７ｂを新たに収容する。
【先行技術文献】
【特許文献】
【０００５】
【特許文献１】特開２０１３−２１９７０７号公報
【発明の概要】
【発明が解決しようとする課題】
【０００６】
しかし、信号制御装置間でユーザ端末の帰属関係情報を移行した場合、移行対象のユーザ端末が通信を行うには接続先のＩＰアドレスを変更しなければならない。前例の場合においてユーザ端末７ａ，７ｂは、接続先のＩＰアドレスを信号制御装置１ｂのＩＰアドレスである「Ｙ．Ｙ．Ｙ．Ｙ」に変更する必要がある。
【０００７】
本発明は、上記事情を鑑みてなされたものであり、信号制御装置に対するユーザ端末の収容替え時におけるユーザ端末の利便性を改善することを目的とする。
【課題を解決するための手段】
【０００８】
以上の課題を解決するため、請求項１に記載の信号制御装置は、ネットワーク機器を介してユーザ端末から送信された信号を制御する信号制御装置において、収容非対象のユーザ端末を収容している他の信号制御装置のアドレス情報を管理装置から受信する受信手段と、前記ネットワーク機器に接続されているアドレス未割当のインタフェースに前記アドレス情報を割り当てる割当手段と、当該アドレス情報への信号を前記インタフェースに送信することを前記ネットワーク機器に命令する命令手段と、を有することを要旨とする。
【０００９】
本発明によれば、ネットワーク機器を介してユーザ端末から送信された信号を制御する信号制御装置において、収容非対象のユーザ端末を収容している他の信号制御装置のアドレス情報を管理装置から受信し、ネットワーク機器に接続されているアドレス未割当のインタフェースに当該アドレス情報を割り当て、当該アドレス情報への信号を当該インタフェースに送信することをネットワーク機器に命令するため、ユーザ端末は接続先のアドレス情報を新たな収容先の信号制御装置のアドレス情報に変更しなくとも通信可能となることから、信号制御装置に対するユーザ端末の収容替え時におけるユーザ端末の利便性を向上できる。
【００１０】
請求項２に記載の信号制御装置は、請求項１に記載の信号制御装置において、各信号に対して専用スレッドをそれぞれ生成し、各専用スレッドにそれぞれ対応する各ソケットを通じて各ユーザ端末とそれぞれ通信する通信手段を更に有することを要旨とする。
【００１１】
請求項３に記載の信号制御方法は、ネットワーク機器を介してユーザ端末から信号制御装置に送信された信号を制御する信号制御方法において、前記信号制御装置は、収容非対象のユーザ端末を収容している他の信号制御装置のアドレス情報を管理装置から受信する受信ステップと、前記ネットワーク機器に接続されているアドレス未割当のインタフェースに前記アドレス情報を割り当てる割当ステップと、当該アドレス情報への信号を前記インタフェースに送信することを前記ネットワーク機器に命令する命令ステップと、を有することを要旨とする。
【００１２】
請求項４に記載の信号制御方法は、請求項３に記載の信号制御方法において、各信号に対して専用スレッドをそれぞれ生成し、各専用スレッドにそれぞれ対応する各ソケットを通じて各ユーザ端末とそれぞれ通信する通信ステップを更に有することを要旨とする。
【発明の効果】
【００１３】
本発明によれば、信号制御装置に対するユーザ端末の収容替え時におけるユーザ端末の利便性を向上できる。
【図面の簡単な説明】
【００１４】
【図１】通信システムのネットワーク構成を示す図である。
【図２】信号制御装置とその管理装置の機能ブロック構成を示す図である。
【図３】通信システムの処理動作を説明する際の参照図である。
【図４】通信システムの処理動作を説明する際の参照図である。
【図５】従来の通信システムのネットワーク構成を示す図である。
【図６】ユーザ端末の収容先変更時の動作を説明する際の参照図である。
【発明を実施するための形態】
【００１５】
以下、本発明を実施する一実施の形態について図面を用いて説明する。
【００１６】
図１は、本実施の形態に係る通信システムのネットワーク構成を示す図である。この通信システムは、図５に示した従来のネットワーク構成に対し、信号制御装置１を管理するための信号制御装置管理装置５を更に備えて構成される。
【００１７】
図２は、本実施の形態に係る信号制御装置管理装置５と信号制御装置１の機能ブロック構成を示す図である。信号制御装置管理装置５は、ユーザ端末の加入者情報を記憶する加入者情報記憶部５１と、その加入者情報を信号制御装置１に投入する加入者情報設定部５２と、信号制御装置１の運用系／非運用系を切り替える系切替部５３と、加入者情報の設定処理や系切り替えの制御処理を行うための画面を提供するＧＵＩ部５４と、を備えて構成される。信号制御装置管理装置５は、全ての信号制御装置１ａ，１ｂに通信可能に接続され、通信システムの管理者や保守者により操作される。
【００１８】
信号制御装置１（１ａ，１ｂ）は、信号制御装置に対するユーザ端末の帰属関係を定めた帰属関係情報を記憶する帰属関係情報記憶部１１と、信号制御装置管理装置５から投入された加入者情報（帰属関係情報を含む）を帰属関係情報記憶部１１に登録する加入者情報登録部１２と、その加入者情報内の帰属関係情報からＩＰアドレスを取得し、自装置内の新たなインタフェースに割り当てるＩＰアドレス割当部１３と、そのＩＰアドレスへの信号を当該割り当てたインタフェースへ送信する命令をネットワーク機器３に通知する送信先変更命令部１４と、ユーザ端末からの信号を処理する信号処理部１５と、各信号に対して専用のスレッドをそれぞれ生成し、各スレッドにそれぞれ対応する各ソケットを通じて各ユーザ端末とそれぞれ通信するソケット通信部１６と、信号制御装置管理装置５から投入された系切り替え信号に基づき自装置を運用系又は非運用系に切り替える系切替実行部１７と、を備えて構成される。
【００１９】
ネットワーク機器３やユーザ端末７は既存のものを用いて実現する。ネットワーク機器３としては、例えば、スイッチングハブ、レイヤ２スイッチ、ルータ等を利用する。ＡＲＰ（Address Resolution Protocol）テーブルと称される転送テーブルを備えており、自機器に接続された装置のＩＰアドレスとＭＡＣアドレスとを紐付けて管理する。ユーザ端末７から信号を受信した場合、その信号パケット内の宛先ＩＰアドレスに対応するＭＡＣアドレスを持つインタフェースの装置へ送信する。
【００２０】
ユーザ端末７としては、例えば、携帯電話、スマートフォン端末、タブレット端末、パソコン等を利用する。本実施の形態で処理する信号種別として例えばＳＩＰ信号が考えられる。その場合、信号制御装置１はＳＩＰ信号を制御する呼処理サーバとなる。
【００２１】
次に、本通信システムの動作を説明する。図３は、通信システムの処理動作を説明する際の参照図である。ここでは、通信システムの運用系を信号制御装置１ａから信号制御装置１ｂに切り替える処理動作例を説明する。信号制御装置１ａは１つのインタフェースを備え、「Ｘ．Ｘ．Ｘ．Ｘ」のＩＰアドレスが割り当てられている。また、信号制御装置１ｂも１つのインタフェース＃１を備え、「Ｙ．Ｙ．Ｙ．Ｙ」のＩＰアドレスが割り当てられている。なお、系の切り替え処理を伴うことなく単に端末収容先を切り替える場合（例えば、信号制御装置１ａ，１ｂがいずれも運用系であり、複数の端末のうち一部の端末のみ収容先を変更する場合）でも基本的に同様の処理動作が可能である。
【００２２】
まず、ステップＳ１において、信号制御装置管理装置５は、管理者の操作に基づき、信号制御装置１ａが収容しているユーザ端末７ａ，７ｂの加入者情報を加入者情報記憶部５１から読み出して信号制御装置１ｂに送信する。ここで加入者情報とは、加入者であるユーザに関する任意の情報である。例えば、加入者ユーザ名、住所、電話番号等であり、帰属関係情報も含まれる。
【００２３】
次に、ステップＳ２において、信号制御装置１ｂは、投入された加入者情報から帰属関係情報を取得して自身の帰属関係情報に追加登録し、追加した帰属関係情報からＩＰアドレスを取得する。そして、自装置内でネットワーク機器３に接続されている複数のインタフェースからアドレス未割当のインタフェース＃２を確保し、その新たなインタフェース＃２に対して上記取得したＩＰアドレスを割り当てる。ここでは、信号制御装置１ａのＩＰアドレス「Ｘ．Ｘ．Ｘ．Ｘ」がインタフェース＃２に割り当てられる。
【００２４】
次に、ステップＳ３において、信号制御装置管理装置５は、非運用系に変更するための系切り替え信号を信号制御装置１ａへ送信するとともに、運用系に変更するための系切り替え信号を信号制御装置１ｂへ送信する。これにより、通信システム内の信号制御処理が信号制御装置１ｂで開始される。
【００２５】
次に、ステップＳ４において、信号制御装置１ｂは、ＡＲＰテーブルのキャッシュデータを更新するための命令をネットワーク機器３へ送信する。例えば、ＲＦＣ５２２７（https://tools.ietf.org/html/rfc5227）で規定されたＧｒａｔｕｉｔｏｕｓＡＲＰのパケットを送信することにより、ネットワーク機器３のＡＲＰテーブルを更新させる。
【００２６】
ここで、ステップＳ２において信号制御装置１ｂのインタフェース＃２には信号制御装置１ａのＩＰアドレス「Ｘ．Ｘ．Ｘ．Ｘ」が割り当てられているため、ネットワーク機器３は当該ＩＰアドレスへの信号を当該インタフェース＃２に送信することになる。これにより、ユーザ端末７ａ，７ｂからの信号は、接続先のＩＰアドレスを「Ｘ．Ｘ．Ｘ．Ｘ」から「Ｙ．Ｙ．Ｙ．Ｙ」に変更せずとも、新たな収容先の信号制御装置１ｂに送信される。
【００２７】
引き続き、図４を参照しながら、ユーザ端末７から信号が送信された際の処理動作例を説明する。
【００２８】
ステップＳ５において、ユーザ端末７ａ，７ｂから信号が送信された場合、その接続先ＩＰアドレスは「Ｘ．Ｘ．Ｘ．Ｘ」であるため、ネットワーク機器３は、更新後のＡＲＰテーブルに基づき信号制御装置１ｂのインタフェース＃２へ送信する。一方、ユーザ端末７ｃ，７ｄから信号が送信された場合は、従来通り信号制御装置１ｂのインタフェース＃１へ送信する。いずれの場合も、運用系の信号制御装置１ｂへ送信される。
【００２９】
その後、ステップＳ６において、信号制御装置１ｂは、各インタフェース♯１，＃２を介して各信号をそれぞれ受信し、信号解析を行う。そして、各信号に対して専用のスレッドをそれぞれ生成し、各スレッドにそれぞれ対応する各ソケットを通じて各ユーザ端末７ａ〜７ｄとそれぞれ通信する。例えば、ユーザ端末７ａから信号をインタフェース＃２で受信すると、その信号専用の処理スレッド＃１を生成し、当該処理スレッド＃１専用のソケット＃１を介してユーザ端末７ａと通信する。これにより複数のＩＰアドレスを対応可能となる。
【００３０】
以上より本実施の形態によれば、ネットワーク機器３を介してユーザ端末７ｃ，７ｄから送信された信号を制御する信号制御装置１ｂにおいて、収容非対象のユーザ端末７ａ，７ｂを収容している他の信号制御装置１ａのＩＰアドレスを信号制御装置管理装置５から受信し、ネットワーク機器３に接続されているアドレス未割当のインタフェース＃２に当該ＩＰアドレスを割り当て、当該ＩＰアドレスへの信号を当該インタフェース＃２に送信することをネットワーク機器３に命令するので、ユーザ端末７ａ，７ｂは接続先ＩＰアドレスを新たな収容先の信号制御装置１ｂのＩＰアドレスに変更しなくとも当該信号制御装置１ｂと通信可能となることから、信号制御装置に対するユーザ端末の収容替え時におけるユーザ端末７の利便性を向上できる。つまり、複数の信号制御装置１ａ，１ｂに帰属可能なユーザ端末７ａ，７ｂが移行元の信号制御装置１ａから移行先の信号制御装置１ｂへ収容替えを行った際、ユーザ端末７ａ，７ｂ側の接続先ＩＰアドレスの変更を不要にできる。
【００３１】
なお、本実施の形態で説明した信号制御装置１ａ，１ｂを、信頼性を高めるために構成された二重化やＡＣＴ−ＳＢＹ構成の通信システムに適用することも可能である。また、信号制御装置１ａ，１ｂをプログラムとして構築し、コンピュータにインストールして実行させることや、通信ネットワークを介して流通させることも可能である。
【符号の説明】
【００３２】
１，１ａ，１ｂ…信号制御装置
１１…帰属関係情報記憶部
１２…加入者情報登録部
１３…ＩＰアドレス割当部
１４…送信先変更命令部
１５…信号処理部
１６…ソケット通信部
１７…系切替実行部
３…ネットワーク機器
５…信号制御装置管理装置
５１…加入者情報記憶部
５２…加入者情報設定部
５３…系切替部
５４…ＧＵＩ部
７ａ〜７ｄ…ユーザ端末
Ｓ１〜Ｓ６…ステップ
【図１】
2016082400.tif 000003
【図２】
2016082400.tif 000004
【図３】
2016082400.tif 000005
【図４】
2016082400.tif 000006
【図５】
2016082400.tif 000007
【図６】
2016082400.tif 000008